(57)【要約】【課題】  回転軸に設けられた荷重物（重量物）の重さによる抵抗を抑え、荷重物の重さを利用して効率的に回転軸を回転させることができる回転システムを提供することにある。【解決手段】  回転軸の両端に軸受が内挿され、軸受の外周輪が回転軸に固定されると共に、軸受の内周輪から内周輪に固定された固定軸が突出し、固定軸が基台に固定され、軸受の内周輪が固定側となり、軸受の外周輪が回転軸を回転させる回転側となることを特徴とする。【選択図】図１
2012021582.tif 000002
【特許請求の範囲】
【請求項１】
軸受を介して回転軸を回転させるための回転システムにおいて、
該回転軸の両端に該軸受が内挿され、
該軸受の外周輪が該回転軸に固定されると共に、該軸受の内周輪から該内周輪に固定された固定軸が突出し、該固定軸が基台に固定され、
該軸受の内周輪が固定側となり、該軸受の外周輪が該回転軸を回転させる回転側となることを特徴とする回転システム。
【請求項２】
前記固定軸が、前記回転軸の回転の軸芯の位置で該回転軸を保持することを特徴とする請求項１記載の回転システム。
【発明の詳細な説明】
【技術分野】
【０００１】
本発明は、軸受を介して回転軸を回転させるための回転システムに関する。
【背景技術】
【０００２】
従来より、軸受を介して回転軸を回転させるための回転システムでは、例えば、特許文献１に示されるように、回転軸の外周に軸受が外嵌される。より具体的には、軸受の内周輪が回転軸の外周に固定され、軸受の外周輪がハウジングに固定される。そして、軸受の外周輪が固定側となり、内周輪が回転側となって、回転軸が回転する。
【先行技術文献】
【特許文献】
【０００３】
【特許文献１】特開平０５−１６４１２６号公報
【発明の概要】
【発明が解決しようとする課題】
【０００４】
しかしながら、従来の回転システムでは、回転軸の回転軸芯から外周方向に離れたフランジで支えていることから、回転軸に設けられた荷重物（重量物）の重さによる抵抗が大きく、効率的に回転軸を回転させることができない。
【０００５】
本発明は、このような事情に鑑みてなされたもので、回転軸に設けられた荷重物（重量物）の重さによる抵抗を抑え、荷重物の重さを利用して効率的に回転軸を回転させることができる回転システムを提供することにある。
【課題を解決するための手段】
【０００６】
請求項１記載の回転システムは、回転軸の両端に軸受が内挿され、軸受の外周輪が回転軸に固定されると共に、軸受の内周輪から内周輪に固定された固定軸が突出し、固定軸が基台に固定され、軸受の内周輪が固定側となり、軸受の外周輪が回転軸を回転させる回転側となることを特徴とする。
【０００７】
請求項２記載の回転システムは、固定軸が、回転軸の回転の軸芯の位置で固定軸を保持することを特徴とする。
【発明の効果】
【０００８】
請求項１又は請求項２の発明によれば、軸受の内周輪が固定側となり、軸受の外周輪が回転軸を回転させる回転側となり、固定軸が回転の軸芯の位置で回転軸を保持することから、回転軸に設けられた荷重物（重量物）の重さによる抵抗を抑え、荷重物の重さを利用して効率的に回転軸を回転させることができる。
【図面の簡単な説明】
【０００９】
【図１】本発明に係る回転システムの構造の一例を示す説明図である。
【図２】図１のＡ−Ａ線矢視端面図である。
【図３】本発明に係る回転システムの構造の他の例を示す説明図である。
【発明を実施するための形態】
【００１０】
以下、本発明の形態について図面を参照しながら具体的に説明する。図１は、本発明に係る回転システムの構造の一例を示す説明図である。図２は、図１のＡ−Ａ線矢視端面図である。図１及び図２における回転システム１は、軸受２０を介して回転軸１０を回転させるためのもので、特に、回転軸１０に荷重物６を保持させて回転させる場合に用いられるものである。より、具体的には、軽い荷重物６としては例えば換気用や空調用のファンがある。また、重い荷重物６としては例えばモーターの回転子、発電機の回転子やタービン等がある。回転軸１０を回す方法としては、タイミングベルトを回転軸１０に掛けて、外部から回転させるようにして、回転軸１０を回すようにするなど、適宜定めるようにすればよい。
【００１１】
本実施の形態の回転システム１は、回転軸１０、軸受２０、基台１４、固定軸１２等から構成されている。回転軸１０は、両端に内挿穴１０ａが穿設され、その内挿穴１０ａに軸受２０が内挿され固定されている。具体的には、軸受２０の外周輪２４が、回転軸１０に固定された状態になっている。そして、軸受２０の内周輪２２には、固定軸１２が固定され、回転軸１０の端部から外側に突出している。軸受２０の内周輪２２に一端が固定されて突出する固定軸１２は、他端が基台１４に固定されている。軸受け２０、固定軸１２及び基台１４は、回転軸１０の両端に設けられている。
【００１２】
このような構造の回転システム１では、軸受２０の内周輪２２が固定側となり、軸受２０の外周輪２４が回転軸１０を回転させる回転側となって、基台１４で固定された固定軸１２に両端を支えられる形で、回転軸１０が回転することになる。
【００１３】
このように構成された回転システム１によれば、軸受２０の内周輪２２が固定側となり、軸受２０の外周輪２４が回転軸１０を回転させる回転側となり、固定軸１２が回転の軸芯の位置で回転軸１０を保持することから、回転軸１０に設けられた荷重物（重量物）６の重さによる抵抗を抑え、荷重物６の重さ（遠心力）を利用して効率的に回転軸１０を回転させることができる。また、回転軸１０の外周で回転軸１０を保持する従来に比べ、偏心の負担を軽減させることも可能で、回転軸１０の始動時の回転ロスを抑えることも可能である。
【００１４】
尚、図では、軸受２０としてボール２６を内周輪２２と外周輪２４との間に設けたボールベアリングを用いた形態で描いているが、必ずしもボールベアリングである必要はなく、ころ軸受や、スラスト軸受などであってもよい。
【００１５】
尚、荷重物６として、ファンの羽などの軽い物を用いた場合には、回転軸１０にかかる重力が小さいことから、軸受２０で十分に支えられるが、重量のあるものが荷重物６として回転軸１０に設けられ、回転軸１０で回す必要がある場合には、図３に示すように、補助的に保持用軸受３０で回転軸１０を支えるようにしてもよい。
【００１６】
具体的には、図３に示す回転システム２では、回転軸１０、軸受２０及び固定軸１２は、回転システム１と同様であるが、回転軸１０の両端部の外周に保持用軸受３０が、外嵌されている。保持用軸受３０の内周輪３２が、回転軸１０の外周に固定され、外周輪３４が、基台１６に穿設された基台穴１６ａの内周に固定されている。尚、保持用軸受３０は、ボール３６を用いたボールベアリングの他、重量に応じて、ころがり軸受等の他の種類の軸受を用いてもよい。但し、保持用軸受３０は、軸受２０の回転を妨げるものであってはならず、回転精度や耐荷重等を考慮して慎重に選択する必要がある。
【産業上の利用可能性】
【００１７】
以上のように、本発明によれば、回転軸に設けられた荷重物（重量物）の重さによる抵抗を抑え、荷重物の重さを利用して効率的に回転軸を回転させることができる回転システムを提供することができる。
【符号の説明】
【００１８】
１・・・・・回転システム
２・・・・・回転システム
６・・・・・荷重物
１０・・・・回転軸
１０ａ・・・内挿穴
１２・・・・固定軸
１４・・・・基台
１６・・・・基台
１６ａ・・・基台穴
２０・・・・軸受
２２・・・・内周輪
２４・・・・外周輪
２６・・・・ボール
３０・・・・保持用軸受
３２・・・・内周輪
３４・・・・外周輪
３６・・・・ボール
【図１】
2012021582.tif 000003
【図２】
2012021582.tif 000004
【図３】
2012021582.tif 000005